(57)【要約】ハードウェアアドレス（ＨＡ）を有するブロックを有する記憶空間（１０）を有する光記憶媒体にデータを書込みする方法が記載される。記憶空間は、プリエンボス領域（２０）を有し、書込みされるデータは、データアドレス（ＤＡ）を有する。本発明では、データアドレスＤＡ＝＆デルタを有するデータは、ハードウェアアドレスＨＡ＝Ｘ＋＆デルタを有する記憶空間ブロック内に記憶され、ここでは＆デルタは１以上の整数である。
2007502507.tif 000002
【特許請求の範囲】
【請求項１】
ハードウェアアドレス（ＨＡ）を有するブロックを有する記憶空間を有する光記録媒体にデータを書込みする方法であって、
前記記憶空間は、プリエンボス領域を有し、
書込みされる前記データは、データアドレス（ＤＡ）を有し、
データアドレスＤＡ＝Ｘを有するデータは、ハードウェアアドレスＨＡ＝Ｘ＋Δを有する記憶空間ブロックに記憶され、
前記Δは、少なくとも１であり、好適には１９２以上である整数である、方法。
【請求項２】
書込みされる前記データは、前記ディスク自体に関連する情報を含む少なくとも１つのバイトを有する少なくとも１つのリードインブロックを有し、
前記少なくとも１つのリードインブロックは、前記プリエンボス領域におけるハードウェアアドレスＨＡ＝Ｘに対応するデータアドレスＤＡ＝Ｘを有し、
前記Δは、前記少なくとも１つのリードインブロックが、前記プリエンボス領域の外側のハードウェアアドレスＨＡ＝Ｘ＋Δを有する記憶空間ブロック内に記憶されるよう選択される請求項１記載の方法。
【請求項３】
前記Δは、前記プリエンボス領域におけるハードウェアアドレスＨＡ＝Ｘを有するブロックと、前記プリエンボス領域の外側のハードウェアアドレスＨＡ＝Ｘ＋Δを有するブロックとの間のラジアル距離が、０．２ミリメートル、好適には、０．１ミリメートル未満であるよう選択される請求項２記載の方法。
【請求項４】
前記Δは、前記プリエンボス領域におけるハードウェアアドレスＨＡ＝Ｘに対応するデータアドレスＤＡ＝Ｘを有する実質的に全てのデータブロックは、前記プリエンボス領域の外側のハードウェアアドレスＨＡ＝Ｘ＋Δを有する記憶空間ブロック内に記憶されるよう選択される請求項２記載の方法。
【請求項５】
前記Δは、前記プリエンボス領域における最後のブロック（ＨＡ＝Ａ＋１９１）と、前記プリエンボス領域の最下位アドレスの新しい位置（即ち、ＨＡ＝Ａ＋Δ）との間のラジアル距離は、ゼロより大きく、好適には、約０．０５ミリメートルのオーダーであるよう選択される請求項２記載の方法。
【請求項６】
前記ディスク情報バイトのシフトされたバージョン（ＨＡ＝Ａ＋１９４）に書込みされる前記データは、ディスク再生能力を向上するよう選択される請求項２記載の方法。
【請求項７】
前記リードインブロックの全部のシフトされたバージョン（ＨＡ＝Ａ＋１９４）に書込みされる前記データは、ディスク再生能力を向上するよう選択される請求項２記載の方法。
【請求項８】
前記プリエンボス領域におけるハードウェアアドレス（ＨＡ＝ＡからＨＡ＝Ａ＋１９１）に対応するデータアドレス（ＤＡ＝ＡからＤＡ＝Ａ＋１９１）を有する全てのブロック（ＨＡ＝Ａ＋ΔからＨＡ＝Ａ＋１９１＋Δ）に同じデータが書込みされる請求項６記載の方法。
【請求項９】
前記ディスク情報バイトの値は、ユーザによって入力される請求項６記載の方法。
【請求項１０】
前記ディスク情報バイトの第１の値を選択し、該第１の値をディスクに書込みする段階と、
前記第１の値を有する前記ディスク情報バイトでの前記ディスクの前記再生能力を決定する段階と、
前記ディスク情報バイトの第２の値を選択し、該第２の値をディスクに書込みする段階と、
前記第２の値を有する前記ディスク情報バイトでの前記ディスクの前記再生能力を決定する段階と、
前記ディスク情報バイトの前記第１の値及び前記第２の値のうちどちらがより良好な再生能力を提供するか決定する段階と、
前記ディスク情報バイトを、より良好な再生能力を提供するとして決定された値に設定する段階と、
を有する請求項６記載の方法。
【請求項１１】
情報は、前記プリエンボス領域より高いハードウェアアドレスを有する記憶空間にのみ書込みされる請求項２記載の方法。
【請求項１２】
情報は、前記プリエンボス領域より高いハードウェアアドレスを有する記憶空間と、前記プリエンボス領域より低いハードウェアアドレスを有する記憶空間にのみ書込みされる請求項２記載の方法。
【請求項１３】
情報は、前記プリエンボス領域にも書込みされる請求項２記載の方法。
【請求項１４】
ハードウェアアドレスを有するブロックを有する記憶空間を有する光記憶媒体に情報を書込み可能なディスクドライブ機器であって、
前記記憶空間は、プリエンボス領域を有し、
書込みされる前記データは、データアドレスを有し、
前記機器は、請求項１乃至１３のうちいずれか一項記載の方法を実行するよう設計される、ディスクドライブ機器。
【請求項１５】
情報バイトとして書込みされる、ユーザによって決定される値を入力する入力手段を有する請求項１４記載のディスクドライブ機器。
【請求項１６】
ハードウェアアドレス（ＨＡ）を有するブロックを有する記憶空間を有する光記憶媒体であって、
前記記憶空間は、プリエンボス領域を有し、
前記光記憶媒体は、前記記憶空間内に書込みされるデータを有し、
前記データは、データアドレス（ＤＡ）を有し、
前記プリエンボス領域の外側の前記記憶空間の少なくとも一部において、ハードウェアアドレスＨＡ＝Ｙを有するブロックは、データアドレスＤＡ＝Ｙ−Δを有するデータを有し、
前記Δは、１以上であり、好適には１９２以上である整数である、光記憶媒体。
【請求項１７】
前記プリエンボス領域より高いハードウェアアドレスＨＡ＝Ｙ＞Ａ＋１９２を有するブロックは、データアドレスＤＡ＝Ｙ−Δを有するデータを有し、一方、前記プリエンボス領域より低いハードウェアアドレスＨＡ＝Ｙ＜Ａを有するブロックは、データを有さない請求項１６記載の光記憶媒体。
【請求項１８】
前記プリエンボス領域より高いハードウェアアドレスＨＡ＝Ｙ＞Ａ＋１９２を有するブロックは、データアドレスＤＡ＝Ｙ−Δを有するデータを有し、一方、前記プリエンボス領域より低いハードウェアアドレスＨＡ＝Ｙ＜Ａを有するブロックは、データアドレスＤＡ＝Ｙを有するデータを有する請求項１６記載の光記憶媒体。
【請求項１９】
前記プリエンボス領域より高いハードウェアアドレスＨＡ＝Ｙ＞Ａ＋１９２を有するブロックは、データアドレスＤＡ＝Ｙ−Δを有するデータを有し、一方、前記プリエンボス領域より低いハードウェアアドレスＨＡ＝Ｙ＜Ａを有するブロックは更に、データアドレスＤＡ＝Ｙ−Δを有するデータを有する請求項１６記載の光記憶媒体。
【請求項２０】
前記プリエンボス領域におけるブロックのデータは破壊される請求項１９記載の光記憶媒体。
【請求項２１】
前記プリエンボス領域におけるハードウェアアドレスＨＡ＝Ｘを有するブロックと、前記プリエンボス領域の外側のデータアドレスＤＡ＝Ｘ（ＨＡ＝Ｘ＋Δ）を有する対応するシフトされたブロックとの間のラジアル距離は、０．２ミリメートル、好適には０．１ミリメートル未満である請求項１６記載の光記憶媒体。
【請求項２２】
前記プリエンボス領域における最後のブロック（ＨＡ＝Ａ＋１９１）と、前記プリエンボス領域の最下位アドレスに対応するシフトされたブロック（ＨＡ＝Ａ＋Δ）との間のラジアル距離は、ゼロより大きく、好適には、約０．０５ミリメートルのオーダーである請求項１６記載の光記憶媒体。
【請求項２３】
前記プリエンボス領域におけるハードウェアアドレスＨＡ＝Ｘを有するブロックは、第１のデータを有し、
データアドレスＤＡ＝Ｘ（ＨＡ＝Ｘ＋Δ）を有するブロックは、前記第１のデータとは異なる第２のデータを有する請求項１６記載の光記憶媒体。
【発明の詳細な説明】
【技術分野】
【０００１】
本発明は、一般的に、プリエンボス記憶部分を有する光記憶媒体に情報を書込みする方法及び装置に係る。特に、しかし排他的にではないが、本発明は、光記憶ディスク、特にＤＶＤ−ＲＷディスクに情報を書込みする方法及び装置に係り、本発明は、この例を参照して以下に説明する。
【背景技術】
【０００２】
光記憶ディスクは、当業者に一般的に知られている。光記憶ディスクは、情報が製造時に記録され、その情報はユーザによってのみ読出し可能である読出し専用タイプであり得る。光記憶ディスクは、情報がユーザによって記憶され得る書込み可能タイプであってもよい。このようなディスクは、書込み可能（Ｒ）として示されるリードワンスタイプであり得るが、書換え可能（ＲＷ）として示され情報が何回も書込み可能である記憶ディスクもある。ＤＶＤの場合、２つのフォーマット、即ち、ＤＶＤ−ＲＷとＤＶＤ＋ＲＷが区別される。一般的な光ディスクの技術と、情報が光ディスクに記憶可能な方法と、光ディスクから光データが読出し可能である方法は、一般的に周知であるので、ここでは、この技術を更に詳しく説明する必要はない。
【０００３】
一般的に周知であるように、メモリ空間はブロックに分割され、各ブロックは、読出し機器がどのブロックを読出ししているのかが分かるよう識別情報又はアドレスを有する。
【０００４】
ＲＷタイプのディスクの場合、記憶空間は、グルーブ（＋ＲＷ）又はプリピット（−ＲＷ）の形で物理的に存在し、ブロックは予め決定され、アドレスは既に割当てられて、記憶空間の物理的なハードウェア特徴でコード化される。ＤＶＤ−ＲＯＭリーダは、この物理的なコーディングを読出しするようには具備されておらず、従って、これらのアドレスを読出しすることが不可能である。従って、ＤＶＤ−ＲＯＭリーダがアドレスを読出しすることを容易にするために、アドレスは、書込みされるデータにも組み込まれる。
【０００５】
以下において、グルーブウォブル（＋ＲＷ）又はプリピット（−ＲＷ）といったディスクの物理的ハードウェア特徴に組み込まれるアドレスは、ハードウェアアドレスと示し、書込みされたデータ内に組み込まれるアドレスは、データアドレスと示す。標準的にこれらのアドレスの値は同一である。
【０００６】
ディスクのメモリ空間は、リードイン領域、メインデータ領域、及びリードアウト領域に再分割される。リードイン領域は、ディスクの始まりにおけるブロックの集まりが関連し、ディスク自体に関する情報を含む。この情報は、ディスク構造、ブックタイプ（使用される規格の指示）、及びヘッダバイトといったパラメータを有する。ヘッダバイトは、領域タイプ（リードイン／メインデータ、リードアウト／ミドルデータ）を示すビットと、ディスクが読出し専用か否かを示すビットと、ディスクの反射率を示すビットを含む。
【０００７】
本発明の発明者は、ディスクの再生能力（playability）は、これらのパラメータの値に依存することを見つけた。この場合、再生能力は、ディスクが、エラーが殆ど又は全くなくディスクドライブによって読出し可能である度合いとして定義可能である。再生時に多くのエラーが発生される場合は、再生能力は低い。
【０００８】
本発明は、記憶媒体の再生能力を向上することを目的とする。このために、本発明は、再生能力が増加されるよう、好適には再生能力が最大となるようパラメータの値を修正することを提案する。この点について、本発明は、これらのパラメータは情報目的のみのためであり、ディスクドライブの任意の設定を実際には変更しないという認識に基づいている。
【０００９】
ＤＶＤ−ＲＷタイプのディスクは、この点において更なる問題、即ち、これらのパラメータが記憶される記憶空間部分は、プリエンボスされた領域、即ち、書込み可能ではない領域であるという問題を有する。当然ながら、非書込み可能領域に記憶されたパラメータの値を変更することは不可能である。
【発明の開示】
【発明が解決しようとする課題】
【００１０】
本発明は、この問題に対し解決策を提供することを目的とする。
【課題を解決するための手段】
【００１１】
本発明の重要な面によると、データアドレスは、ハードウェアアドレスと同じではない。この点について、本発明は、リーダ機器は、ディスクを読出しする際に、データアドレスのみを考慮し、ハードウェアアドレスがデータアドレスと同一であるか否かを確認しないという認識に基づいている。
【００１２】
従って、本発明では、上述したパラメータに対応するデータアドレスは、書換え可能な領域にシフトされることが可能であり、それにより、そのパラメータの値が所望通りに変更可能となる。
【発明を実施するための最良の形態】
【００１３】
本発明のこれらの及び他の面、特徴、並びに利点は、添付図面を参照しながら本発明の以下の記載によって更に説明する。図面中、同様の参照番号は、同じ又は同様の部分を示す。
【００１４】
図１は、連続リボンとしてＤＶＤ−ＲＷディスクの記憶空間１０を示す。記憶空間１０の下には、ハードウェアアドレスＨＡが連続番号０、１、２等として示される。記憶空間１０の上には、データアドレスＤＡも連続番号０、１、２等として示される。この場合、データアドレスＤＡは、ハードウェアアドレスＨＡと同一である。アドレスの一部は、Ｎ個のブロック（ＥＣＣブロック）を有するプリエンボス領域２０に対応する。図１の例では、プリエンボス領域２０は、ＤＶＤフォーマットと同様に、１９２個（Ｎ＝１９２）のブロックを有する。このプリエンボス領域２０におけるアドレスは、第１のアドレスＡから最後のアドレスＡ＋１９２の範囲で示される。ＤＶＤの場合、プリエンボス領域２０のこれらの１９２個のブロックは、相互に同一である。しかし、このことは、本発明を実施するために必要不可欠ではない。
【００１５】
プリエンボス領域２０のブロックは、上述したようにディスクパラメータを有する少なくとも１つの情報バイトを含む。プリエンボス領域２０のブロックが、ＤＶＤと同様に相互に同一である場合、プリエンボス領域２０の各ブロックが、そのような情報バイトを含む。しかし、本発明を説明するためには、１つのブロックがそのような情報バイトを含むだけで十分である。この情報バイトは、図１において１１と参照番号を付ける。従って、図１においてアドレスＡ＋２を有するブロックのみが情報バイト１１を含むとして、例示的に示す。
【００１６】
標準的に、データは、書込み可能記憶媒体（Ｒ；ＲＷ）の場合は任意の所望する方法でブロックに書込み可能である。しかし、プリエンボス領域２０は、領域２０の記憶部分の網掛けによって示すように非書込み可能である。情報バイト１１は、このプリエンボス領域２０における１つのブロックに位置付けられる。従って、そのコンテンツは、望むように修正することができない。
【００１７】
図２は、図１と同様の図面であり、本発明のデータシフト方法が組み込まれた記憶空間１０を示す。この例では、データアドレスＸを有するブロックは、ハードウェアアドレスＸ＋Δを有する記憶空間ブロック内に書込みされる。又は、言い換えると、ハードウェアアドレスＹを有する記憶空間ブロックに書込みされるデータは、データアドレスＹ−Δを有する。従って、Δ個のブロックのシフトが達成される。Δは、１つ以上である。この例では、Δは、Ｎ（＝１９２）と等しいよう選択される。
【００１８】
尚、図２において、例示目的のためだけに、データアドレスＡより低いアドレス値を有するデータアドレスは、連続的に減少する値、即ち、Ａ−１、Ａ−２、…、Ａ−１９２を有して示される。しかし、プリエンボス領域２０におけるブロックは、ハードウェアアドレスとは異なるデータアドレスを有することはできないことを認識すべきである。何故なら、この記憶領域のアドレスは変更不可能だからである。
【００１９】
シフトパラメータΔの値は、関連の情報バイトがプリエンボス領域２０以外、即ち、記憶空間１０の書込み可能部分における記憶位置を得るよう選択される。図２の例では、情報バイト（１１’と示す）は、ハードウェアアドレスＡ＋１９４を有するブロック、即ち、プリエンボス領域２０以外で書込みされる。
【００２０】
一部の場合では、１つの関心のブロック（ＤＡ＝Ａ＋２）がプリエンボス領域２０の外側の記憶位置（ＨＡ＝Ａ＋１９４）にシフトされることを確実にするようΔが十分に大きい限り、ΔがＮより小さくても十分であり得る。シフトパラメータΔの値は、プリエンボス領域２０におけるハードウェアアドレスに対応する全てのデータアドレスが、そのプリエンボス領域２０の外側の記憶位置にシフトされるよう選択されることが好適である。即ちΔ＞Ｎが好適である。図２の例では、ΔはＮと等しく、それにより、プリエンボス領域２０における第１のブロック（ＤＡ＝Ａ）は、そのプリエンボス領域２０における最後のブロックのすぐ隣のブロック（即ち、ＨＡ＝Ａ＋１９２）にシフトされる。しかし、プリエンボス領域２０の最上位アドレス（即ち、ＨＡ＝Ａ＋１９１）と、プリエンボス領域２０の最下位アドレス（即ち、ＤＡ＝Ａ）の新しい位置との間にあるマージンが作成されることが好適である。このマージンは、約０．０５ミリメートルのオーダーのラジアル距離に対応することが好適である。
【００２１】
本発明は、データシフト方法の３つの可能な変形を提案する。図３Ａに示す第１の実施例では、プリエンボス領域２０より低い全てのアドレスを有する記憶空間部分２１は無視される、即ち、この記憶空間部分２１には情報は書込みされない。図３Ａでは、このことは、記憶空間部分２１内のブロックにはデータアドレスがないことによって示す。更に、この実施例では、プリエンボス領域２０にも情報が書込みされない。即ち、情報は、プリエンボス領域２０より高いアドレス（ＨＡ＞Ａ＋１９１）を有する記憶空間部分２３のみに書込みされる。尚、図３Ａは、プリエンボス領域２０において、データアドレスＤＡは、ハードウェアアドレスＨＡと同じであることを正しく示すことに留意されたい。
【００２２】
図３Ｂに示す第２の実施例では、記憶空間部分２１及び２３は書込みされるが、プリエンボス領域２０は書込みされない。従って、図３Ｂの実施例では、情報は、ハードウェアアドレスＨＡ＜Ａを有するブロックに書込み可能である。図３Ｂでは、このことは、記憶空間部分２１におけるブロックは、データアドレスｉ、ｉ＋１、ｉ＋２等を有することによって示す。
【００２３】
図３Ｃに示す第３の実施例では、書込み手順は、プリエンボス領域２０並びにそのプリエンボス領域２０の下方及び上方の記憶空間部分２１及び２３について行われる。第２の実施例と同様に、情報は、ハードウェアアドレスＨＡ＜Ａを有するブロックに書込み可能である。しかし、プリエンボス領域２０についての書込み処理は、データアドレスの網掛けした部分によって示すようにプリエンボス領域２０のデータを破壊してしまう。
【００２４】
図３Ｃの第３の実施例の利点は、記憶空間ブロックのデータアドレッシングが明白であることである。より具体的には、読出し機器がプリエンボス領域２０を読出し可能となることが効果的に回避される。図３Ａ及び３Ｂの実施例では、データアドレッシングは明白ではない。例えば、図３Ａ及び３Ｂの実施例では、ブロックデータアドレスＡ＋２は、２回登場する。１回目は、プリエンボス領域２０におけるＨＡ＝Ａ＋２に対応し、２回目は、プリエンボス領域２０の外側のＨＡ＝Ａ＋１９４に対応する。更に、図３Ｂの実施例では、ブロックデータアドレスＡ−１９３が２回（ＨＡ＝Ａ−１９３及びＨＡ＝Ａ−１）登場し、一方、ＨＡ＝Ａ−１とＨＡ＝Ａ（ＤＡ＝Ａ−１９３とＤＡ＝Ａ）の間にはアドレス断絶がある。基本的に、ディスク読出し機器は、このような状況を解決不可能なエラー状況であると判断し得る。
【００２５】
しかしながら、図３Ａ−Ｃに示す全ての３つの実施例では、ディスク読出し機器は、ディスクを読出し可能である。何故なら、ディスク読出し機器は、アドレス０からではなく、プリエンボス領域２０を越えてある特定の半径において開始するからである。この半径は、許容範囲を考慮に入れても、ディスク読出し機器の最初のアクセスが常にプリエンボス領域２０を越えているような半径である。情報バイト１１を読出しするために、ディスク読出し機器は、上方から対応するデータアドレスＤＡ＝Ａ＋２に近づき、ハードウェアアドレスＨＡ＝Ａ＋１９４に対応するデータアドレスＤＡ＝Ａ＋２において定まる。従って、プリエンボス領域２０におけるもともとのバイト１１ではなくプリエンボス領域２０以外にあるバイト１１’が効果的に読出しされる。
【００２６】
ディスク書込み機器は、記憶空間１０にデータを書込みするとき、特に、データアドレスＤＡ＝Ａ＋２において情報バイト１１’を書込みするとき、ハードウェアアドレスＨＡ＝Ａ＋２におけるもともとの情報バイト１１の値とは異なる好適な値を、情報バイト１１’に選択し得る。このように書込みされる情報バイトは、読出し時のその機器の最適再生能力のために選択される情報値を有し得る。これらの値は、ディスクドライブのメモリ内に記憶され、記憶空間１０へのデータの書込みの際に、ディスクドライブは、メモリからその値を読出し得る。
【００２７】
ディスクは、別の機器によって読出しされることも可能である。その場合、ディスク書込み機器には、情報バイト１１として書込みされるべき、ユーザによって決定される値を入力するための入力手段が設けられてもよい。
【００２８】
ユーザが読出し機器の最適値を知らない場合、トライアル・アンド・エラーで、即ち、情報バイト１１’に様々な値を設定し、毎回再生能力を決定し、そして、ディスク情報バイト１１’を、最良の再生能力を提供するとして決定された各値に設定することによって、最適値を決定することが必要な場合もある。
【００２９】
当業者には、本発明は、上述した実施例に制限されず、請求項に記載される本発明の保護範囲内で様々な変更及び修正が可能であることが明らかであるべきである。
【００３０】
本発明は、１つのブロックＡ＋２における１つの１バイト１１の情報が修正可能であることを説明することによって説明したが、ユーザは、再生能力を向上するために全ブロックＡ＋２に任意の好適なデータを書込みし得ることが明らかであるべきである。更に、本発明は、基本的に、様々な情報がシフトされたブロック（即ち、ＨＡ＝Ａ＋１９２からＨＡ＝Ａ＋１９１＋１９２）に書込みされることを可能にするが、同じ情報がこれらのブロックの全てに書込みされることが好適である。
【００３１】
更に、本発明の１つ以上の機能面は、ハードウェアで実施され得るが、１つ以上の機能面が、ソフトウェアで実施されることも可能である。
【図面の簡単な説明】
【００３２】
【図１】ディスクの記憶空間を示す図である。
【図２】本発明のデータシフト方法が組み込まれたディスクの記憶空間を示す図である。
【図３Ａ】本発明の実施例の詳細を示す図２と比較可能な図である。
【図３Ｂ】本発明の実施例の詳細を示す図２と比較可能な図である。
【図３Ｃ】本発明の実施例の詳細を示す図２と比較可能な図である。
【図１】
2007502507.tif 000003
【図２】
2007502507.tif 000004
【図３Ａ】
2007502507.tif 000005
【図３Ｂ】
2007502507.tif 000006
【図３Ｃ】
2007502507.tif 000007
【国際調査報告】
2007502507.tif 000008
2007502507.tif 000009